(57)【特許請求の範囲】
【請求項１】
天然葉を洗浄、不変色処理、乾燥処理したものの一枚又は複数枚の任意の重ねの裏面に裏当材として紙、布帛類を貼り合わせ所定形状の基本葉材とし、該基本葉材に表面塗装を施して天然葉工芸品を製造するに際して、
天然葉の不変色処理は、緑色葉に対しては銅イオンのキレート化剤の存在下でスチームアイロンを用いて加熱加圧して形を整えながら銅クロロフィルの緑色を固定させ、紅葉に対しては食酢や明ばん水あるいは草木灰抽出液の存在下にメタロアントシアニン錯化合物を生成させ、これらにより天然葉の形状や色調をそのまま生かした状態で固定させるものであって、
不変色処理後の葉を裏当材と貼り合わせて、表面塗装として合成樹脂塗料又は天然漆塗料を塗布することにより形状固定して仕上げることを特徴とする天然葉工芸品の製造方法。
【請求項２】
１又は複数の基本葉材に天然蔓材からなる脚、台、提げ手又は取っ手を組み合わせる請求項１記載の天然葉工芸品の製造方法。
【発明の詳細な説明】
【０００１】
【発明の属する技術分野】
本発明は、天然葉の形状や色調の美しさをそのまま生かした茶器、花器、菓子器、屋内装飾品、屋内装置品、装身具等日常生活に潤いを持たせるための天然葉工芸品の製造方法に関するものである。
【０００２】
【従来の技術】
天然の葉や花などは押し葉、押し花又はドライフラワーなどとして保存性を高め、広く生活に密着した装飾品として活用されている。また、これら押し葉、押し花あるいはドライフラワーを使用して化粧板とし、これを家具等に利用することが特開平３-234700号や特開平６-239097号などで提案されている。これらの技術は、レリーフ葉輪郭に続く無色透明な上層及び接着性の表面上へ葉体の直接の配置によって、葉柄組織及び分枝組織又は葉脈組織の美しさを表現したパネルとしての利用態様である。
【０００３】
高度な美術工芸品に対する天然葉の利用法としては、特公昭56-49757号にみられる。これは、日本の伝統工芸である漆器に対するもので、特に天然の葉脈の繊細な模様を漆塗りの中塗り層又は地色塗り層の表面に貼着して後、漆の重ね塗りをし、水研ぎによって葉脈を剥離し、剥離凹部に色漆を塗って模様を出す手法である。
【０００４】
和紙を利用した紙器の表面に天然の葉を貼り、その上に漆を塗って仕上げる、いわゆる「一閑張（いっかんばり）」が日本の伝統工芸品として古くから知られている。このものは、全体が漆特有の濃い飴色がかり、天然の葉の色調を台無しにしているし、接着もすべて漆で処理するため葉に漆が深く浸透して葉の色合いを残す工夫はみられないし、和紙を木型の上に何枚も重ねて漆で貼り付ける工法であるので必然的に高価なものとなっている。
【０００５】
【発明が解決しようとする課題】
上記した天然葉を用いる従来の手法による工芸品は、いずれも天然葉を模様形成の材料としてのみの把握であって、板材（パネル）や容器その他の工芸品も模様として貼り付けたり、複雑な葉脈模様を作り出す材料にしたりする手法に過ぎず、自然の葉の美しい色調をそのまま保全し、かつ大小各種葉の形状をそのまま活用して工芸品に仕上げるところまで突っ込んだ技術、手法の製品は見当らない。
【０００６】
本発明は、葉の形状、すなわち葉縁の形状をそのまま取り入れ、その単数又は複数の重ねによる各種形状を保持し、かつ、葉の緑色や紅色の不変色加工を施すことで、これまでにない各種天然葉工芸品に仕上げることを目的に研究を重ねた結果得られたものである。
【０００７】
【課題を解決するための手段】
本発明の要旨は、天然葉を洗浄、不変色処理、乾燥処理したものの一枚又は複数枚の任意の重ねの裏面に裏当材として紙、布帛類を貼り合わせ所定形状の基本葉材とし、該基本葉材に表面塗装を施して天然葉工芸品を製造するに際して、天然葉の不変色処理は、緑色葉に対しては銅イオンのキレート化剤の存在下でスチームアイロンを用いて加熱加圧して形を整えながら銅クロロフィルの緑色を固定させ、紅葉に対しては食酢や明ばん水あるいは草木灰抽出液の存在下にメタロアントシアニン錯化合物を生成させ、これらにより天然葉の形状や色調をそのまま生かした状態で固定させるものであって、不変色処理後の葉を裏当材と貼り合わせて、表面塗装として合成樹脂塗料又は天然漆塗料を塗布することにより形状固定して仕上げることを特徴とする天然葉工芸品の製造方法である。
【０００８】
ここで用いる天然葉の材料としては、特に限定するものではないが、形状や色調の美しいものが大小自由に選択できる。中でも柿、蔦、楓、柏、楢、栗、銀杏、ポプラ、朴、山帰来などの葉で色変化が美しく、かつ葉縁の形状に独特の風情が感じられ、葉脈のしっかりしているものが好適である。
【０００９】
不変色処理は、緑色葉にあっては、その色素クロロフィルの化学構造式の中央に位置しているＭgイオンをＣuイオンのキレート化剤の存在下で蒸気加熱し、乾燥させて安定な銅クロロフィルにする方法などが用いられている。また紅葉に対しては、その色素がアントシアニン色素であり、まず明ばんや草木炭の煮汁で処理し、アルミニウム、鉄、銅などのメタロアントシアニン錯化合物として安定化させる。紅葉に緑が残っている場合などは、上記の両方の処理をして色合いを安定させるのである。このような不変色処理をして後乾燥する。
【００１０】
基本葉材は、得られた不変色葉とその裏面の裏当材からなり、裏当材として紙、布帛類を貼り合わせる。紙、布帛類としては、和紙、洋紙、合成紙（フィルム、スポンジシートを含む）、不織布、織布などが例として挙げられ、これらのうちの１種又は２種以上の重ね貼りにより裏当材とする。裏当材の表面に千代紙などの装飾紙を貼ると、きれいな面に仕上がり、表の天然葉面と裏の千代紙面の両面使用が可能となる。
【００１１】
表面塗装は、アクリル塗料やウレタン塗料あるいはメラミン塗料、アルキッド塗料のような合成樹脂塗料のほか、漆塗料を用いて行なう。特に漆を塗る前にウレタン塗料のような透明性の塗料を塗って葉身内に浸透させると、直接漆を塗ると濃い飴色になるのを防ぐ。漆も透明度の高い日本漆を使用するとよい。
【００１２】
工芸品の形態は種々考えられる。銘々皿のようにして使用するには葉一枚で葉縁と葉柄の輪郭そのまま利用し、全体を一平面にしたり、適当な湾曲面としてそりの形を変えた製品とする。葉を２枚、３枚と部分的に重ねて多様性を出す。この場合は重ねた葉を１枚の裏当材に貼り付けると平面的となるし、個々の葉に裏当材を貼り合わせたものを複数枚重ねて接着すると葉間に段差がついた立体的なものとなる。葉自身についても大小の差をつけたり、同種に限らず異種の葉の組み合わせで多様性を高めることができる。例えば、柿の葉の上に小さな蔦の葉をアクセントとして接着するという違う葉による重ね貼りに対して裏当材を貼着して基本葉材とする。また、木筒、竹筒、紙筒の表面に葉を接着しながら巻きつけて葉面模様の筒体とし、花器、ペン立、小物入れ等を製作することもできる。
【００１３】
基本葉材と天然蔓材の併用組合せで所定形状にすることによって工芸品の多様性が更に広がる。天然蔓材は基本葉材の台や脚にしたり、外周に廻して取っ手としたり、円弧上に架け渡して提げ手としたりするのである。蔓材は蔦の茎などが好んで用いられる。そして、基本葉材と天然蔓材の全体を表面塗装して仕上げる。
【００１４】
基本葉材と組合わせるものは、天然蔓材のほか各種の装飾材料がある。天然蔓材に代えて金属製の線材、棒材、板材、ピース類が利用できる。ピースの例としては、イヤリング金具、ブローチ安全ピン、壁掛フック、磁石などが挙げられる。
【００１５】
【発明の実施の形態】
本発明の美術工芸品の実施態様を図面によって具体的に説明する。図１は塗装仕上をした基本葉材の断面構造を示すものである。不変色加工した葉１に和紙の厚紙２を２枚重ね、更に薄い化粧和紙３をそれぞれ接着剤層４を介して一体とし、基本葉材10とする。十分乾燥した後、まず葉面にウレタン塗料層５を形成する。ウレタン塗料は和紙への浸透強化と漆の葉身への浸透を抑える作用をする。この際、シーラーブラッシング処理をしてシーラー層６を形成し、葉と塗膜との密着性を高める。最表層は漆層７であり、重ね塗りすることも妨げないし、漆に代えてウレタン塗料仕上をすることも自由である。
【００１６】
図２〜図９は基本葉材を使った工芸品の例示であって、図２は柿の葉の単葉工芸品として茶菓子器の銘々皿の例を示す。夏場の柿葉は濃緑色をし、艶もすばらしい。この緑色の葉を銅イオンのキレート化剤（例えばＣu−ＥＤＴＡ）の存在下でスチームアイロンを使って加熱、加圧して形を整えた後、乾燥させ、これを図１に示すような形態に和紙で補強した。和紙の厚紙は厚さ0.7mmで２枚、化粧和紙は薄手で0.1mm厚を１枚貼り合わせた。次いで、ウレタン塗料を１回塗り、その上へ日本漆を２回塗って仕上げた。図２から明らかなように、基本葉材10の形そのままで葉縁11の全縁が銘々皿の輪郭を形成し、葉の主脈12、側脈13が自然葉脈の模様として浮き出し、葉身14の色は緑が美しく、そして葉柄15が掴み手になった茶器工芸品となっている。
【００１７】
図３は冬蔦の葉で紅色と緑色の混ざった美しい色のものである。この場合は、前述の緑色安定化処理をした後、紅色の保存性も改良するために、食酢や明ばん水あるいは草木灰抽出液の存在下にメタロアントシアニン（錯化合物）を生成させて安定化させた。処理条件は低めのｐＨ処理である。例えば蔦の波状葉縁11の輪郭が美麗な皿となり、茶菓子用のほか、料亭や家庭での小料理品の置き皿としても有用である。
【００１８】
図４は２枚の柿葉を葉柄15を左右に持ち上げるような形で貼り合わせて基本葉材とし、葉柄15間に蔦の天然蔓材16からなる提げ手を設けて手籠状の器工芸品に仕上げたものである。こうすると、単葉のものよりも多くの菓子、果物等を載せることができる。図５は２枚の基本葉材10に天然蔓材17で台座を設けたもの、図６は３枚の基本葉材10からなり、天然蔓材18で枠組みをし、その一部を取っ手として左右に設けたものである。葉柄15は天然蔓材との接合アンカーとして利用している。
【００１９】
図７は、これまでのと異なり、紙筒19の表面に不変色加工した葉１そのものを接着して、多数の蔦の葉による模様を現出させた花筒（ドライフラワーなど）の例である。上縁に金属製の壁掛フック20をつけて壁や柱掛け用とする。この筒面に蔦を絡ませるなど自由である。
【００２０】
図８は小さい蔦の幼葉からなる基本葉材10を用いて、これにイヤリング金具21を取り付けてスクリュウ式イヤリングとしたものを示し、図９は楓の葉からなる基本葉材10の裏面にブローチ安全ピン22を取付けて天然の葉の形のブローチとしている。このようにイヤリング、ブローチ、ペンダント、タイピン等の装身具にしても、自然の葉の美しさを残すユニークな製品となる。
【００２１】
【発明の効果】
本発明の天然葉工芸品の製造方法は、以上の説明から明らかなように、天然葉の色合いを残す工夫と、その葉の形を基本にデザインされた外形を残し、和紙等の裏当材の存在で強度が大となり、特に本発明の方法により天然葉の葉縁、葉脈、葉身、葉柄の美しさを十分生かした美術工芸品が得られる。これらは従来になく、この種製品としては多様性に富むほか、安価に提供できる特徴を有する。
【図面の簡単な説明】
【図１】塗装仕上をした基本葉材の断面図である。
【図２】柿の葉の単葉工芸品の斜視図である。
【図３】蔦の葉の単葉工芸品の斜視図である。
【図４】柿の葉の二葉に蔓の提げ手をつけた工芸品の斜視図である。
【図５】柿の葉の二葉に蔓の台座をつけた工芸品の斜視図である。
【図６】柿の葉の三葉に蔓の取っ手をつけた工芸品の斜視図である。
【図７】紙筒に蔦の葉を重ね貼りした工芸品の斜視図である。
【図８】蔦の葉でイヤリングとした工芸品の斜視図である。
【図９】楓の葉でブローチとした工芸品の斜視図である。
【符号の説明】
１ 不変色加工した葉
２ 和紙の原紙
３ 化粧和紙
４ 接着剤層
５ ウレタン塗料層
６ シーラー層
７ 漆層
10 基本葉材
11 葉縁
12 主脈
13 側脈
14 葉身
15 葉柄
16 天然蔓材（提げ手）
17 天然蔓材（台座）
18 天然蔓材（取っ手）
19 紙筒
20 壁掛フック
21 イヤリング金具
22 ブローチ安全ピン
【図１】
0004423413.tif 000002
【図２】
0004423413.tif 000003
【図３】
0004423413.tif 000004
【図４】
0004423413.tif 000005
【図５】
0004423413.tif 000006
【図６】
0004423413.tif 000007
【図７】
0004423413.tif 000008
【図８】
0004423413.tif 000009
【図９】
0004423413.tif 000010